(57)【要約】【課題】読み出し専用ノード１にネットワーク機能を付加することなく、仮想的にその読み出し専用ノードをネットワークＮＷに参加させ、ネットワーク上の任意ノード１１上で仮想ノードのデータを扱えるようにする。【解決手段】この家電機器ネットワークシステムでは、ネットワークノード１１が読み出し専用ノード１の保持する固定データを読み出して規定コードＤＴ１１に変換し、自身が管理するオブジェクトコードに対応づけて保持するオブジェクトデータＤＴ１２と共に、当該読み出し専用ノード毎に当該ネットワークノード内に所定のプロパティコードに対応づけてオブジェクトデータとして保持することにより、読み出し専用ノードにネットワーク機能を付加することなく、仮想的にその読み出し専用ノードをネットワークに参加させ、ネットワーク上の任意ノード上で仮想ノードの固定データを扱えるようにする。【選択図】      図６
2004295642.tif 000002
【特許請求の範囲】
【請求項１】
ネットワークに直接参加できるネットワークアドレスを持つネットワークノードと、ネットワークアドレスを持たず、予め書き込まれた固定アドレスと固有データを含む固定データを保持する読み出し専用ノードとを備え、
前記ネットワークノードは、前記読み出し専用ノードの保持する前記固定データを読み出し、当該ネットワークノードが管理するオブジェクトコードに対応づけて保持するオブジェクトデータと共に、当該読み出し専用ノード毎に当該ネットワークノード内に所定のプロパティコードに対応づけてオブジェクトデータとして保持する機能を備えたことを特徴とするネットワークシステム。
【請求項２】
前記読み出し専用ノードは、単独で可変データを獲得するデータ獲得手段と、前記予め書き込まれた固定アドレスと固有データを含むデータに加え、前記データ獲得手段が単独で獲得した可変データを、当該ネットワークシステム上の前記ネットワークノードに同報送信する同報送信手段とを有することを特徴とする請求項１記載のネットワークシステム。
【請求項３】
前記ネットワークノードは、前記読み出し専用ノード内に保持する固定データ及び／又は可変データを読み出すためのデータ読み出しインタフェースと、前記読み出し専用ノードの保持する固定データ及び／又は可変データを所定フォーマットに変換し、変換されたデータを所定オブジェクトコードに対応させて記憶領域に読み出し専用データとして、所定オブジェクトコードと固有オブジェクトデータとの組でネットワーク内で共通に扱えるデータとして読み出し専用ノード単位で記憶させるコード変換手段とを有し、
前記ネットワークノードの記憶領域は、前記読み出し専用ノード単位で所定オブジェクトコードに対応させて読み出し専用データを書き込むオブジェクトデータの書き込み領域と、前記所定オブジェクトコードに対応させて書き込み読み出し可能な付加的なオブジェクトデータの追記記憶可能な領域とを有することを特徴とする請求項１または２記載のネットワークシステム。
【請求項４】
前記ネットワークノードは、前記読み出し専用ノードからデータを読み込み、オブジェクトデータとして前記記憶領域に書き込む際、当該読み出し専用ノードが特定カテゴリーの読み出し専用ノードである場合には、他のネットワークノード内の記憶領域に既に登録されているか否かを所定ネットワークメッセージで確認し、他のネットワークノードに同一オブジェクトが既に存在する場合は該当するネットワーク内の登録データを消去又は一時的な消去フラグを立て、同一の読み出し専用ノードが同時に複数のネットワークノードに存在しないようにする機能を備えたことを特徴とする請求項３記載のネットワークシステム。
【請求項５】
前記ネットワークノードは、自身の前記記憶領域に書き込まれた読み出し専用ノードのオブジェクトデータを、自身の判定手段により又は他のネットワークノードからの消去命令により消去する手段又は消去フラグを立てる手段を備えたことを特徴とする請求項４記載のネットワークシステム。
【発明の詳細な説明】
【０００１】
【発明の属する技術分野】
本発明は、読み出し専用ノードを含むネットワークシステムに関する。
【０００２】
数ミリ程度のサイズのデータ読み出し専用チップを物品に埋め込み、そのチップに書き込まれたＩＤ番号や属性を外部のリーダにより読み込み、読み込んだデータと対応づけて物品を管理する方法がある。本発明は、この方法と家電機器ネットワークの機能とを組み合わせることで、より応用範囲の広い安価なネットワークシステムを提供するものである。
【０００３】
【従来の技術】
図１５には、データ読み出し専用チップ１０１とホストデバイス１０９の構成を示している。このデータ読み出し専用チップ１０１では、予めＲＯＭチップ１０２内に書き込まれたサービスＩＤ、アプリケーションデータをデータ読み出し回路１０３を介して読み込ませ、変調器１０４を通して、図１６のようなデータ構成で電波として送出する。
【０００４】
図１６は、データ読み出し専用チップ１０１から出力されるデータ構成の例であり、ヘッダー１０５、サービスＩＤ１０６、アプリケーション（ａｐｐｌｉｃａｔｉｏｎ）データ１０７、誤り訂正符合１０８等から構成されており、それぞれ複数ビット列より成り立っている。
【０００５】
このホストデバイス１０９は、ＣＰＵや記憶装置を持つＰＣ（パーソナルコンピュータ）の機能を持つ機器であり、接続されたＲＯＭチップリーダ１１０によりデータ読み出し専用チップ１０１から図１６の形式でデータを読み取り、読み取ったデータを図１７の表１のように、サービスＩＤをキーにしてデータ読み出し専用チップ１０１毎のデータをホストデバイス１０９の記憶装置１１１に保持する。
【０００６】
これにより、従来のネットワークシステムでは、ネットワーク上で物品の専用チップのサービスＩＤさえ分かれば、ホストデバイス１０９が記憶装置１１１に保持しているデータから物品の属性を知ることができるようにしている。
【０００７】
また、センサ等の読み出し専用ノードは独自にネットワーク機能を持ち、その保持するデータを直接ネットワーク上に送り、ネットワーク上で利用されるようにしている。
【０００８】
【特許文献１】
特開２００２−４９９０５号公報
【０００９】
【発明が解決しようとする課題】
しかしながら、従来のネットワークシステムでは、家電機器ネットワークとは別にデータ読み出し専用チップの保持データ群の管理を行なわなければならず、これらのデータを一元的に扱うことが困難であるという問題点があった。また、センサ等の読み出し専用ノードは独自にネットワーク機能を持ち、センサデータを直接にネットワーク上に送り、ネットワーク上で利用させるようにしているが、ノードが高価で複雑なネットワーク機能を必要とする問題点があった。
【００１０】
本発明は、このような従来の技術的課題に鑑みてなされたもので、読み出し専用ノードにネットワーク機能を付加することなく、仮想的にその読み出し専用ノードをネットワークに参加させ、ネットワーク上の任意ノード上で仮想ノードのデータを扱えるようにするネットワークシステムを提供することを目的とする。
【００１１】
本発明はまた、各種センサや個体に装着したデータ読み出し専用チップに保持させた固有ＩＤ、固有情報をネットワーク内に取り込み、各種センサや個体の固有情報をネットワーク上の任意のノードから管理することができるネットワークシステムを提供することを目的とする。
【００１２】
【課題を解決するための手段】
本発明のネットワークシステムは、ネットワークに直接参加できるネットワークアドレスを持つネットワークノードと、ネットワークアドレスを持たず、予め書き込まれた固定アドレスと固有データを含む固定データを保持する読み出し専用ノードとを備え、前記ネットワークノードは、前記読み出し専用ノードの保持する前記固定データを読み出し、当該ネットワークノードが管理するオブジェクトコードに対応づけて保持するオブジェクトデータと共に、当該読み出し専用ノード毎に当該ネットワークノード内に所定のプロパティコードに対応づけてオブジェクトデータとして保持する機能を備えたことを特徴とするものである。
【００１３】
本発明のネットワークシステムでは、ネットワークノードが読み出し専用ノードの保持する固定データを読み出して規定コードに変換し、自身が管理するオブジェクトコードに対応づけて保持するオブジェクトデータと共に、当該読み出し専用ノード毎に当該ネットワークノード内に所定のプロパティコードに対応づけてオブジェクトデータとして保持する。これにより、読み出し専用ノードにネットワーク機能を付加することなく、仮想的にその読み出し専用ノードをネットワークに参加させ、ネットワーク上の任意ノード上で仮想ノードの固定データを扱えるようにする。
【００１４】
【発明の実施の形態】
以下、本発明の実施の形態を図に基づいて詳説する。図１は、本発明のネットワークシステムにおいて採用するセンサデータ送信機能を備えたデータ読み出し専用チップ１の内部構成を示している。このデータ読み出し専用チップ１は、図１５に示した従来のデータ読み出し専用チップ１０１と同様のＲＯＭチップ２、データ読み出し回路３、変調器／送信機４に加え、センサ等５からＡ／Ｄ変換器６を経て獲得したデータをＲＯＭチップ２からの読み出しデータに加算し、変調後データ列として送信するノードとして機能する。このデータ読み出し専用チップ１は図１５に示したデータ読み出し専用チップ１０１と同様に、図２に示すネットワークノード１１のようなネットワークアドレスは持たず、従来の図１７に示すデータのように予め書き込まれた固有サービスＩＤ等の固有アドレスと固有データを保持する。なお、このデータ読み出し専用チップ１においては、センサ等５の検出したセンサデータ送信機能を付加的に備えていることから、データ読み出し回路は、ＲＯＭチップのデータ以外にセンサデータも読み出し、送信できるようになっている。すなわち、このデータ読み出し専用チップ１は可変データである時事刻々と変化するセンサデータをＡ／Ｄ変換器６を経て単独で獲得し、このセンサデータを固有アドレスと固有データと併せて変調器／送信機４により外部に同報送信できるようになっている。
【００１５】
図２に示すネットワークノード１１は、通常のネットワーク機器として機能するノードであり、プラグ＆プレー等でネットワークアドレスを取得し、保持するデータを意図する他のネットワークノードに所定のパケットにして送信したり、他のネットワークノードからのパケットを受信したりするネットワークノード機能部１２を備えている。
【００１６】
このネットワークノード１１はまた、ＲＯＭチップリーダ１３、ＲＯＭチップリーダインタフェース１４、コード変換器（１）１５を備え、また家電機器データインタフェース１６、コード変換器（２）１７を備えている。さらに、ネットワークノード１１は、図３（Ａ）、（Ｂ）に示すような家電機器の状態値や設定値やＲＯＭチップデータをオブジェクトデータＤＴ１１，ＤＴ１２として保持する記憶領域１８を持っている。
【００１７】
この記憶領域１８のオブジェクトデータＤＴ１１，ＤＴ１２は、クラスグループ、クラスコード、インスタンスコード、そしてプロパティコードで特定されるプロパティデータから構成される。そしてネットワークノード１１は、この記憶領域１８のデータを他のネットワークノードに送信したり他のノードからの指定によりデータを書き換えたりする。
【００１８】
ここでクラスグループとはクラスで表現される機器を大分類している区分である。例えばセンサ、空調、家事関連等のクラスグループがある。クラスコードとは機器の分類である。エアコン、洗濯機、電子レンジ等具体的機器名に相当するコードである。インスタンスコードとは複数の同一クラスグループ、クラスコードに対する識別番号である。
【００１９】
本実施の形態のネットワークシステムでは、ネットワークノード１１がＲＯＭチップリーダ１３からの読み出しデータもオブジェクトデータＤＴ１１として図３（Ａ）のように家電機器のオブジェクトデータＤＴ１２と同一の形式にて記憶領域１８に保持するためにコード変換器（１）１５、コード変換器（２）１７を有し、家電機器データＤＴ１２とＲＯＭチップリーダ１３からの読み込みデータＤＴ１１を同一形式で扱い、オブジェクトデータＤＴ１１として送信する。
【００２０】
このようにすることで、家電機器のデータ、例えば冷蔵庫／冷凍庫のオブジェクトデータＤＴ１２とＲＯＭチップリーダ１３から読み込まれたオブジェクトデータＤＴ１１（例えば食品データ）とが同一形式で並存されて置かれるので、食品データ等、従来のネットワーク上では扱えなかったデータをネットワークＮＷ上で管理することが容易となる。
【００２１】
また、センサデータ送信機能付きのデータ読み出し専用チップ１においては、センサデータ送信機能も付加されているため、読み込みデータＤＴ１１においては、ＲＯＭチップのデータ以外に、センサ検出データも追加して管理される。  図４は、ネットワークノード１１の物理構成を示している。このネットワークノード１１の物理構成は、図２に示した機能構成のネットワークノード１１を具体的に実現するものである。ネットワークノード１１は、ＲＯＭ２１、ＲＡＭ２２、演算処理装置（ＣＰＵ）２３、ネットワーク送受信回路２４に加え、図２に示したＲＯＭチップリーダ１３、ＲＯＭチップリーダインタフェース１４、そして家電機器データインタフェース１６を備えている。そして図２における機能構成要素であるネットワークノード機能部１２、コード変換器（１）１５、コード変換器（２）１７、記憶領域１８が図４におけるＲＯＭ２１、ＲＡＭ２２、ＣＰＵ２３、ネットワーク送受信回路２４により実現される。
【００２２】
ＲＯＭチップリーダインタフェース１４、家電機器データインタフェース１６からのデータＤＴ１１，ＤＴ１２はＣＰＵ２３の内部にてコード変換する。ＲＡＭ２２にはオブジェクトデータＤＴ１１，ＤＴ１２が記憶され、ＣＰＵ２３の内部にて生成されたオブジェクトデータを含むパケットがネットワーク送受信回路２４にてネットワークＮＷ上に送信される。
【００２３】
またネットワークＮＷからネットワーク送受信回路２４で受信されたオブジェクトデータＤＴ１２を含むパケットはＣＰＵ２３に送られ、ＣＰＵ２３はＲＡＭ２２上のオブジェクトデータＤＴ１２を書き換え、家電機器データインタフェース１６から必要なデータが家電機器、また当該ネットワークノードが家電機器に内蔵されている場合にはその家電機器の制御部に渡す。
【００２４】
本実施の形態の場合、ＲＯＭチップデータについても、ＲＯＭチップデータクラスグループ、クラスコード、インスタンスコードと各プロパティコードとプロパティデータが家電機器（冷蔵庫の例）のデータと同一形式にて保持されている。即ち、従来同様に図１７の形式でＲＯＭチップ２内に記憶されたデータをコード変換器（１）１５により図３（Ａ）のプロパティコードに対応した記憶フィールドに書き込んで保持するのである。
【００２５】
さらにネットワークＮＷ上の任意のノード１１−ｎからの補足データに対して、図３（Ａ）における「書き込みデータ１」、「書き込みデータ２」のレコードのように書き込む領域を確保することも可能である。なお、このような書き込みデータ１，２は他のネットワークノードからの読み出し書き込みが可能である。また、ＲＯＭチップが複数ある時は複数のＲＯＭチップオブジェクトが存在する。
【００２６】
なお、オブジェクトデータは図５の構成にすることもできる。この第２のオブジェクトデータの構成では、ＲＯＭチップデータＤＴ１１をＲＯＭチップデータクラスグループ、クラスコード、インスタンスコードと各プロパティコードとプロパティデータを配列形式で家電機器（冷蔵庫の例）のオブジェクトデータＤＴ１２内に組み込んで保持する。ＲＯＭチップが複数ある時は配列要素が複数のＲＯＭチップオブジェクト分存在する。
【００２７】
次に、本実施の形態のネットワークシステムによるデータ管理動作を、図６を用いて説明する。図６は、冷凍庫３１がネットワークノード１１−１となり制御部３２からの温度や運転状況データを他のネットワークノード１１−２等に送出している。即ち、オブジェクトデータＤＴ１２として冷凍庫のネットワークノード１１−１内に制御部３２からの温度や運転状況データが登録され、これがネットワークＮＷに公開される。
【００２８】
一方、冷凍庫３１に保存される食品や飲料（これらの袋、容器、ビン、カン等の包装）にはデータ読み出し専用チップ１Ａ，１Ｂ，１Ｃ，…が各々埋め込まれていて、そのような食品、飲料が冷凍庫３１に入れられる時にネットワークノード１１−１に含まれるＲＯＭチップリーダ１３によりそれぞれのＲＯＭチップ２に保持されている個体情報を読み込み、コード変換器（１）１５により統一的なオブジェクトデータＤＴ１１，ＤＴ１２としてネットワークノード１１−１内の記憶領域１８に登録する。
【００２９】
このようにして、本実施の形態のネットワークシステムでは、従来より扱えた冷凍庫等の家電機器データＤＴ１２に加え、食品や飲料等個々の保管データＤＴ１１もネットワークＮＷ上で管理するのである。
【００３０】
図７（Ａ）のネットワーク構成（１）は、通常のネットワーク構成図である。各々のノードＮＤ１〜ＮＤ５は図２に示したネットワークノード１１から機能１３、１４、１５を取り除いたものであり、家電機器データインタフェースのみが存在するものを想定している。このネットワーク構成（１）において、ノードＮＤ１，ＮＤ２，…は家電機器やコントローラやセンサであり、互いにオブジェクトデータを参照したり、データを書き込んだりすることができる。なお、実線矢印は通信可能方向を示している。
【００３１】
図７（Ｂ）に示したネットワーク構成（２）は、本実施の形態のネットワークシステムの適用例であり、データ読み出し専用チップ１０１あるいはデータ読み出し専用チップ１のＲＯＭチップデータが特定のネットワークノードＮＤ１，ＮＤ４に読み込まれ、この特定のネットワークノードＮＤ１，ＮＤ４の記憶領域１８内に図３（Ａ）に示したようなオブジェクトデータＤＴ１１として取り込まれる構成である。
【００３２】
このネットワーク構成（２）により、ネットワークアドレスを持たず、ネットワークノードとしての様々な機能なくして、図１に示したデータ読み出し専用チップ１、あるいは図１５に示したデータ読み出し専用チップ１０１のような簡易なＲＯＭノードをネットワークに取り込むことができる。
【００３３】
図７（Ｃ）に示したネットワーク構成（３）は、前述のセンサデータ送信機能付きのデータ読み出し専用チップ１の場合に好適なネットワークシステムの例であり、図１に示した簡易なＲＯＭノードがセンサ等５の情報を定期的に変調機／送信機４からすべてのネットワークノード１１に同報送信することにより、任意のネットワークノードがＲＯＭノードデータを図３あるいは図５の形式のオブジェクトデータＤＴ１１として取り込める構成である。逆に、ネットワークノード１１は、定期的にＲＯＭチップリーダ１３によりＲＯＭノードデータを読み出してオブジェクトデータＤＴ１１として取り込むことも可能である。
【００３４】
このネットワーク構成（３）により、図１に示したようなデータ読み出し専用チップ１の持つセンサ等５の情報を必要なネットワークノードが必要に応じて取り込み、オブジェクトデータとして管理することができる。
【００３５】
なお、本実施の形態のネットワークシステムでは、ネットワークノードのデータ管理機能として次のような機能を付加することができる。
【００３６】
（１）ネットワークノード１１がデータ読み出し専用チップ１０１，１からデータを読み込み、オブジェクトデータとして記憶領域１８上に書き込む際、当該チップが特定カテゴリーのデータ読み出し専用ノード（ＲＯＭノード）である場合には、他のネットワークノード内の記憶領域に既に登録されているか否かを所定ネットワークメッセージで確認し、他のネットワークノードに同一オブジェクトが既に存在する場合は該当するネットワーク内の登録データを消去又は一時的な消去フラグを立てる機能を備えさせることにより、同一のＲＯＭノードが同時に複数のネットワークノードに存在しないようにする。
【００３７】
ここで既にオブジェクトデータとして登録されているか否かを確認する方法としては、確認したい側のネットワークノード１１がネットワークメッセージとして登録されているオブジェクトコードを含む特定パケットを他のネットワークノードに送り、この特定パケットを受信した既に登録済みのネットワークノードでは、自身でこのオブジェクトを消去する。
【００３８】
これにより、同一のＲＯＭノードが同時に複数のネットワークノードに存在しないようにすることができる。この機能は、どのネットワークノード１１がどのＲＯＭノード（データ読み出し専用チップ１０１，１）を管理しているか明確化したいアプリケーションでは必要な機能である。例えば冷蔵庫の内部の食品管理に応用する場合、食品登録を削除する場合、削除登録用のネットワークノードに登録削除したい食品に埋め込まれたＲＯＭノードを登録することで、冷蔵庫からは削除されたものとして扱うことができる。
【００３９】
（２）ネットワークノード１１が、自身の記憶領域１８上に書き込まれたＲＯＭノードのオブジェクトデータを、自身又は他のネットワークノードからの消去命令により消去又は一時的な消去フラグを立てることを可能にする手段を備えたものにする。
【００４０】
より具体的には、冷蔵庫等の食品管理ネットワークシステムにおいて、食品を取り出した際に、食品につけられているＲＯＭノードからの電波の出力値の変化等からＲＯＭノードが取り出されたことをセンサで検知した場合、その検知をネットワーク上に同報することで、該当するＲＯＭノードのオブジェクトデータの消去命令が自身又は他のネットワークノードから送られ、完全消去又は一時的な削除フラグを立てるようにする。
【００４１】
この（１）、（２）の方法について、図８〜図１４を用いて説明する。ＲＯＭデータ新規取り込みノードは、ＲＯＭデータを新規に取り込む際に、他のノードに登録された同一オブジェクトと重複してはならない。そのためには図８又は図１０に示す方法で同一オブジェクトの重複登録を避ける。
【００４２】
図８のシーケンス例は、登録しようとしているＯｂｊ（オブジェクト）コードを含む図９（Ａ）に示すような問合せパケットを同報し、この同報メッセージを受信したノードが送信元に応答し、改めてＲＯＭデータ新規取り込みノードが図９（Ｂ）に示すような消去パケットを送信する方法である。消去パケットを受信した既存ノードは、消去パケットに含まれる消去Ｏｂｊコードを削除する。
【００４３】
図１０のシーケンス例は、図８のシーケンス例の手順を簡略化したものであり、図１１に示すような消去パケットを直ちに同報する。受信したノードは消去パケット内の消去Ｏｂｊコードが自己の保持するＯｂｊコードのいずれかと一致していればそのＯｂｊコードを自己のリストから消去する。なお、ＯｂｊコードはＲＯＭチップのオブジェクトコードより成る。
【００４４】
図１２のフローチャートは、他ノードからの消去命令によるデータ削除例であり、上で説明した消去パケットを受信するノードの構成である。パケット受信部とパケット解析部があり、消去命令に該当するＲＯＭチップオブジェクトコードを含むパケットと解析されれば、ＲＯＭノード消去命令が出力され、Ｏｂｊデータテーブルから削除または消去フラグが立てられる。
【００４５】
また、図１３に示すように、自己登録Ｏｂｊデータ５３の削除機能をノードＮＤｉに持たせることができる。ノードＮＤｉは自己ノード内にＲＯＭノード電界強度チェック回路５１、閾値判定回路５２を備えている。ＲＯＭチップがＲＯＭチップリーダから遠ざかり、ノードＮＤｉのＲＯＭチップからの電界強度がある値以下になって予め定めてある閾値を割ると、受信コードに含まれているＲＯＭチップオブジェクトコードに相当するＲＯＭオブジェクトの削除のための消去命令を出力し、Ｏｂｊデータテーブルから削除または消去フラグが立てられる。
【００４６】
図１４の表２は、ノードに格納されているＲＯＭチップのオブジェクトコードと消去フラグ例である。消去命令を指示されると消去フラグを立てるか消去する。この例では、表２の最下行のＲＯＭチップが削除されたことを示している。
（３）ネットワークノード１１が、自身の管理下のＲＯＭノードのＩＤ番号を参照してＲＯＭノードオブジェクトデータのインスタンス値、又は組番号を決定する機能を備えたものにする。
【００４７】
これにより、ＲＯＭチップデータクラスグループ、クラスコード、インスタンスコードの組にてＲＯＭノードはネットワーク上で識別されるが、ネットワークノード１１の管理下に存在する複数ＲＯＭノードの識別子に相当する図３（Ａ）に示したようなインスタンスコード又は図５に示したようなＲＯＭノードの数に相当する組番号の取得に関して、各々のＩＤ番号を参照し、各ＲＯＭノードに対してインスタンスコードを重複しないように割り当て、また組番号を管理ＲＯＭノード数に対応付けて割付けることができる。
【００４８】
【発明の効果】
以上のように本発明によれば、ネットワークアドレス取得を始めとするネットワーク機能が無いデータ読み出し専用ノードでも固定データ、またセンサ等の読み込みデータのような可変データをネットワーク上に送り出すことができ、より多くの読み出し専用ノードを仮想的にネットワークに参加させられるので、多様なアプリケーションを安価に実現できる。
【図面の簡単な説明】
【図１】本発明の１つの実施の形態のネットワークシステムで採用するデータ読み出し専用チップの機能構成を示すブロック図。
【図２】上記実施の形態のネットワークシステムで採用するネットワークノードの機能構成を示すブロック図。
【図３】上記実施の形態のネットワークシステムにおいて、ネットワークノードが記憶領域に保持するＲＯＭチップオブジェクトコード、家電機器用オブジェクトコードの構成を示す説明図。
【図４】上記実施の形態のネットワークシステムで採用するネットワークノードのハードウェア構成を示すブロック図。
【図５】上記実施の形態のネットワークシステムにおいて、ネットワークノードが記憶領域に保持するオブジェクトコードの構成を示す説明図。
【図６】上記実施の形態のネットワークシステムのブロック図。
【図７】上記実施の形態のネットワークシステムによネットワーク構成を示す説明図。
【図８】本発明の第２の実施の形態のネットワークシステムによる重複オブジェクトの登録回避処理の一例のシーケンス図。
【図９】上記第２の実施の形態で使用する問合せパケット、消去パケットの説明図。
【図１０】本発明の第２の実施の形態のネットワークシステムによる重複オブジェクトの登録回避処理の他の例のシーケンス図。
【図１１】上記第３の実施の形態で使用する消去パケットの説明図。
【図１２】上記第３の実施の形態のネットワークシステムにおける各ノードの他ノードからの消去命令によるＯｂｊデータ削除処理のフローチャート。
【図１３】本発明の第３の実施の形態のネットワークシステムにおける各ノードの自己登録オブジェクト削除機能を示すブロック図。
【図１４】上記第３の実施の形態のネットワークシステムにおいて、ノードに格納されているＲＯＭチップデータオブジェクトコードと消去フラグを示す表。
【図１５】従来、使用されているデータ読み出し専用チップ及びホストデバイスの構成を示すブロック図。
【図１６】従来のデータ読み出し専用チップが送信するデータフォーマットを示す説明図。
【図１７】従来のデータ読み出し専用チップの保持するデータの構成を示す説明図。
【符号の説明】
１，１Ａ，１Ｂ，１Ｃ  データ読み出し専用チップ
２  ＲＯＭチップ
３  データ読み出し回路
４  変調器／送信機
５  センサ等
６  Ａ／Ｄ変換器
１１，１１−１，１１−２  ネットワークノード
１２  ネットワーク機能部
１３  ＲＯＭチップリーダ
１４  ＲＯＭチップリーダインタフェース
１５  コード変換器（１）
１６  家電機器データインタフェース
１７  コード変換器（２）
２４  ネットワーク送受信回路
３１  冷凍庫
３２  制御部
【図１】
2004295642.tif 000003
【図２】
2004295642.tif 000004
【図３】
2004295642.tif 000005
【図４】
2004295642.tif 000006
【図５】
2004295642.tif 000007
【図６】
2004295642.tif 000008
【図７】
2004295642.tif 000009
【図８】
2004295642.tif 000010
【図９】
2004295642.tif 000011
【図１０】
2004295642.tif 000012
【図１１】
2004295642.tif 000013
【図１２】
2004295642.tif 000014
【図１３】
2004295642.tif 000015
【図１４】
2004295642.tif 000016
【図１５】
2004295642.tif 000017
【図１６】
2004295642.tif 000018
【図１７】
2004295642.tif 000019